(57)【要約】      （修正有）【課題】使用過程が簡潔で操作が便利なカーテンウォールガラスの清掃装置を提供する。【解決手段】カーテンウォールガラスの清掃装置は、挟持フレーム１の内部に挟持パッド９が設けられ、挟持パッドの一端が挟持フレームの外側に延出しており、挟持パッドの外壁の一側に挟持溝１０が設けられ、挟持パッドの内壁における挟持溝寄りの一側に磁気ストライプ１１が設けられ、挟持パッドの内壁における磁気ストライプの外側に第１チャンパー１２および第２チャンパー１３が設けられ、第１チャンパーの内部に複数個の柔軟球体１４が設けられ、柔軟球体の内部に第３チャンパーが設けられ、第３チャンパーの内部に複数個の柔軟支持バーが設けられている。各厚度のカーテンウォールガラスの枠に対して挟持でき、実用性が高く、挟持フレームをカーテンウォールガラスの枠に挟んで、正逆回転モータを起動するだけで、カーテンウォールガラスの清潔処理ができる。【選択図】図３
0003233403.tif 000002
【実用新案登録請求の範囲】
【請求項１】
挟持フレーム（１）および輸送フレーム（２）を含むカーテンウォールガラスの清潔装置
であって、前記挟持フレーム（１）の頂部における前記輸送フレーム（２）の外壁の両端
に対称的に接続フレーム（３）が外套され、前記輸送フレーム（２）の外壁における前記
接続フレーム（３）の内側にねじりバネ（４）が外套され、前記輸送フレーム（２）の内
部における両前記接続フレーム（３）の間にボールねじ（５）が回動可能に接続設置され
、前記ボールねじ（５）の外壁にねじナット（６）が回動可能に螺合外套され、前記ねじ
ナット（６）の頂部に弧形接続フレーム（７）が設けられ、前記弧形接続フレーム（７）
における前記ねじナット（６）と反対側の一端に洗浄フレーム（８）が設けられ、前記輸
送フレーム（２）の外壁の一端に正逆回転モータ（２１）が設けられ、前記正逆回転モー
タ（２１）が前記ボールねじ（５）の一端に接続され、前記挟持フレーム（１）の内部に
挟持パッド（９）が設けられ、前記挟持パッド（９）の一端が前記挟持フレーム（１）の
外側に延出しており、前記挟持パッド（９）の外壁の一側に挟持溝（１０）が設けられ、
前記挟持パッド（９）の内壁における前記挟持溝（１０）寄りの一側に磁気ストライプ（
１１）が設けられ、前記挟持パッド（９）の内壁における前記磁気ストライプ（１１）の
外側に第１チャンパー（１２）および第２チャンパー（１３）が設けられ、前記第１チャ
ンパー（１２）の内部に複数個の柔軟球体（１４）が設けられ、前記柔軟球体（１４）の
内部に第３チャンパー（１５）が設けられ、前記第３チャンパー（１５）の内部に複数個
の柔軟支持バー（１６）が設けられていることを特徴とする前記カーテンウォールガラス
の清潔装置。
【請求項２】
前記輸送フレーム（２）の外壁に前記ねじりバネ（４）に係合する第１止め溝（１７）が
設けられていることを特徴とする請求項１に記載のカーテンウォールガラスの清潔装置。
【請求項３】
前記接続フレーム（３）の内壁に前記ねじりバネ（４）に係合する第２止め溝（１８）が
設けられていることを特徴とする請求項２に記載のカーテンウォールガラスの清潔装置。
【請求項４】
前記輸送フレーム（２）の内部に前記ボールねじ（５）に嵌合する配置室（１９）が設け
られ、前記輸送フレーム（２）の頂部に前記弧形接続フレーム（７）に嵌合する貫通溝（
２０）が設けられていることを特徴とする請求項１に記載のカーテンウォールガラスの清
潔装置。
【請求項５】
前記貫通溝（２０）と前記配置室（１９）とが連通していることを特徴とする請求項４に
記載のカーテンウォールガラスの清潔装置。
【請求項６】
前記第１チャンパー（１２）は前記磁気ストライプ（１１）と前記第２チャンパー（１３
）の間に設けられていることを特徴とする請求項１に記載のカーテンウォールガラスの清
潔装置。
【請求項７】
両前記磁気ストライプ（１１）の隣り合う面は磁性が異なることを特徴とする請求項１に
記載のカーテンウォールガラスの清潔装置。
【請求項８】
隣り合う両前記柔軟球体（１４）の間隔が前記柔軟球体（１４）の半径より小さくするこ
とを特徴とする請求項１に記載のカーテンウォールガラスの清潔装置。
【請求項９】
前記第３チャンパー（１５）の内径が前記柔軟球体（１４）の外径の半分より大きくする
ことを特徴とする請求項１に記載のカーテンウォールガラスの清潔装置。
【請求項１０】
前記柔軟支持バー（１６）は前記第３チャンパー（１５）の内部に垂直的および水平的に
設置されていることを特徴とする請求項９に記載のカーテンウォールガラスの清潔装置。
【考案の詳細な説明】
【技術の分野】
【０００１】
本実用新案はカーテンウォールの清潔デバイス・装置の技術分野に関するもので、具体
的には、本実用新案はカーテンウォールガラスの清潔装置に関する。
【従来の技術】
【０００２】
ガラスカーテンウォールは、美しく新規の建物ウォールの装飾手段であり、単一層と両層
ガラスの２種類がある。いわば近代主義の高層建築時代の顕著な特徴としている。この近
代的高層建築のガラスカーテンウォールは、鏡面ガラスと普通ガラスの組合わせ構造で、
かつ一層おきに乾燥空気または不活性ガスを充填する中空ガラスである。中空ガラスは、
防音、断熱、霜止め、湿気防止、風圧に強いなどの長所がある。ところで、カーテンウォ
ールガラスは、時間が経つと、ほこりが付着する恐れがあるので、美観度と建築内の採光
効果を破壊するので、定期的にカーテンウォールガラスに清潔処理を実施する必要がある
。
【０００３】
ところが、従来のカーテンウォールガラスの清潔装置は、使用過程が複雑で、操作が便利
ではない。
【考案の概要】
【０００４】
上記の欠陥を克服するために、本実用新案の目的は、カーテンウォールガラスの清潔装置
を提供することにある。本実用新案の解決しょうとする課題は、カーテンウォールガラス
の清潔処理過程を簡易にさせて、操作を便利にさせることである。
【０００５】
上記の目的を実現するために、本実用新案は、下記のカーテンウォールガラスの清潔装置
を提供する。該カーテンウォールガラスの清潔装置は、挟持フレームおよび輸送フレーム
を含むカーテンウォールガラスの清潔装置であって、前記挟持フレームの頂部における前
記輸送フレームの外壁の両端に対称的に接続フレームが外套され、前記輸送フレームの外
壁における前記接続フレームの内側にねじりバネが外套され、前記輸送フレームの内部に
おける両前記接続フレームの間にボールねじが回動可能に接続設置され、前記ボールねじ
の外壁にねじナットが回動可能に螺合外套され、前記ねじナットの頂部に弧形接続フレー
ムが設けられ、前記弧形接続フレームにおける前記ねじナットと反対側の一端に洗浄フレ
ームが設けられ、前記輸送フレームの外壁の一端に正逆回転モータが設けられ、前記正逆
回転モータが前記ボールねじの一端に接続され、前記挟持フレーム１の内部に挟持パッド
が設けられ、前記挟持パッドの一端が前記挟持フレームの外側に延出しており、前記挟持
パッドの外壁の一側に挟持溝が設けられ、前記挟持パッドの内壁における前記挟持溝寄り
の一側に磁気ストライプが設けられ、前記挟持パッドの内壁における前記磁気ストライプ
の外側に第１チャンパーおよび第２チャンパーが設けられており、前記第１チャンパーの
内部に複数個の柔軟球体が設けられ、前記柔軟球体の内部に第３チャンパーが設けられ、
前記第３チャンパーの内部に複数個の柔軟支持バーが設けられている。
【０００６】
好ましい一形態では、前記輸送フレームの外壁に前記ねじりバネに係合する第１止め溝が
設けられ、前記接続フレームの内壁に前記ねじりバネに係合する第２止め溝が設けられて
いる。第１止め溝によりねじりバネの一端を位置限定的処理するとともに、第２止め溝に
よりねじりバネの他端を位置限定的処理することで、有効にねじりバネの機能を保証でき
る。
【０００７】
好ましい一形態では、前記輸送フレームの内部に前記ボールねじに嵌合する配置室が設け
られており、配置室はボールねじとねじナットに配置と移動スペースを提供する。前記輸
送フレームの頂部に前記弧形接続フレームに嵌合する貫通溝が設けられており、貫通溝は
弧形接続フレームに移動スペースを提供するとともに、弧形接続フレームの移動軌跡を限
定する。前記貫通溝と前記配置室とが連通しており、ねじナットに伴う弧形接続フレーム
の移動を保証できる。
【０００８】
好ましい一形態では、前記第１チャンパーは前記磁気ストライプと前記第２チャンパーの
間に設けられているので、第１チャンパーと第２チャンパーによって挟持パッド内で二重
緩和効果を構成する。
【０００９】
好ましい一形態では、両前記磁気ストライプの隣り合う面は磁性が異なることによって、
両磁気ストライプの異性で相互吸引を保証でき、吸付の挟持効果が良好である。
【００１０】
好ましい一形態では、隣り合う両前記柔軟球体の間隔が前記柔軟球体の半径より小さくす
ることで、柔軟球体の第１チャンパーの内部における配布は、さらに均一的になる。第１
チャンパーに対する支持効果は、さらに良好である。
【００１１】
好ましい一形態では、前記第３チャンパーの内径が前記柔軟球体の外径の半分より大きく
することで、柔軟球体の弾性変形効果は、さらに良好である。前記柔軟支持バーは、垂直
的および水平的に前記第３チャンパーの内部に設置される。これによって、第３チャンパ
ーに対する支持強度がより大きく、柔軟球体の安定性がより向上する。
【００１２】
従来の技術と比べて、本実用新案の有益な効果は以下の通りである。
（１）本実用新案では、挟持フレーム、輸送フレーム、接続フレーム、ねじりバネ、ボー
ルねじ、ねじナット、弧形接続フレーム、洗浄フレーム、挟持パッド、挟持溝、磁気スト
ライプ、第１チャンパー、第２チャンパーおよび正逆回転モータを設けている。これによ
り、各厚度のカーテンウォールガラスの枠に対しても挟持処理ができるので、実用性が強
く、また、使用際において、ただ挟持フレームをカーテンウォールガラスの枠に挟んで、
正逆回転モータを起動することだけで、カーテンウォールガラスの清潔処理を進めること
ができる。使用過程がより簡潔であり、操作がより便利である。
【００１３】
（２）本実用新案では、柔軟球体、第３チャンパーおよび柔軟支持バーを設けている。こ
れにより、柔軟球体の弾性変形性を補強できるので、第３チャンパーに対する柔軟的支持
効果を向上するとともに、第１チャンパーに対する弾性的支持効果を向上することもでき
る。特にカーテンウォールガラスの枠に対する挟持効果がより優秀である。
【図面の簡単な説明】
【００１４】
【図１】本実用新案の全体正面図。
【図２】本実用新案の輸送フレームの側面断面図。
【図３】本実用新案の全体断面図。
【図４】本実用新案の図３におけるＡ部の拡大模式図。
【図５】本実用新案の図３におけるＢ部の拡大模式図。
【考案を実施するための形態】
【００１５】
図１〜４に示されるカーテンウォールガラスの清潔装置は、挟持フレーム１および輸送フ
レーム２を含むカーテンウォールガラスの清潔装置であって、前記挟持フレーム１の頂部
における前記輸送フレーム２の外壁の両端に対称的に接続フレーム３が外套され、前記輸
送フレーム２の外壁における前記接続フレーム３の内側にねじりバネ４が外套され、前記
輸送フレーム２の内部における両前記接続フレーム３の間にボールねじ５が回動可能に接
続設置され、前記ボールねじ５の外壁にねじナット６が回動可能に螺合外套され、前記ね
じナット６の頂部に弧形接続フレーム７が設けられ、前記弧形接続フレーム７における前
記ねじナット６と反対側の一端に洗浄フレーム８が設けられ、前記輸送フレーム２の外壁
の一端に正逆回転モータ２１が設けられ、前記正逆回転モータ２１が前記ボールねじ５の
一端に接続され、前記挟持フレーム１の内部に挟持パッド９が設けられ、前記挟持パッド
９の一端が前記挟持フレーム１の外側に延出しており、前記挟持パッド９の外壁の一側に
挟持溝１０が設けられ、前記挟持パッド９の内壁における前記挟持溝１０寄りの一側に磁
気ストライプ１１が設けられ、前記挟持パッド９の内壁における前記磁気ストライプ１１
の外側に第１チャンパー１２および第２チャンパー１３が設けられている。
【００１６】
前記輸送フレーム２の外壁に前記ねじりバネ４に係合する第１止め溝１７が設けられ、前
記接続フレーム３の内壁に前記ねじりバネ４に係合する第２止め溝１８が設けられている
。第１止め溝１７によってねじりバネ４の一端を位置限定的処理するとともに、第２止め
溝１８によってねじりバネ４の他端を位置限定的処理することで、ねじりバネ４の機能を
効果的に保証できる。
【００１７】
前記輸送フレーム２の内部に前記ボールねじ５に嵌合する配置室１９が設けられており、
配置室１９はボールねじ５とねじナット６に配置と移動スペースを提供する。前記輸送フ
レーム２の頂部に前記弧形接続フレーム７に嵌合する貫通溝２０が設けられており、貫通
溝２０は弧形接続フレーム７に移動スペースを提供するとともに、弧形接続フレーム７の
移動軌跡を限定する。前記貫通溝２０と前記配置室１９とが連通しており、ねじナット６
に伴う弧形接続フレーム７の移動を保証できる。
【００１８】
両前記磁気ストライプ１１の隣り合う面は磁性が異なることによって、両磁気ストライプ
１１の異性で相互吸引を保証でき、吸付の挟持効果が優れている。
【００１９】
前記第１チャンパー１２は前記磁気ストライプ１１と前記第２チャンパー１３の間に設け
られているので、第１チャンパー１２と第２チャンパー１３によって挟持パッド９内で二
重緩和効果を構成する。
【００２０】
具体的には、本実施形態において、挟持フレーム１、輸送フレーム２、接続フレーム３、
ねじりバネ４、ボールねじ５、ねじナット６、弧形接続フレーム７、洗浄フレーム８、挟
持パッド９、挟持溝１０、磁気ストライプ１１、第１チャンパー１２、第２チャンパー１
３および正逆回転モータ２１を設けている。使用際に、カーテンウォールガラスを開放し
て、洗浄フレーム８をカーテンウォールガラスの外側に配置して、挟持フレーム１をカー
テンウォールガラスの底部または頂部に套接して、カーテンウォールガラスを挟持パッド
９の挟持溝１０の内側に套接して、磁気ストライプ１１によってカーテンウォールガラス
の枠を磁気的に吸引することで、挟持フレーム１とカーテンウォールガラスの組立接続を
実現する。第１チャンパー１２と第２チャンパー１３により挟持パッド９を弾性的に緩和
させることが可能である。第１チャンパー１２と第２チャンパー１３の二重的押出変形で
、各厚度のカーテンウォールガラスの枠を挟持処理することが可能であるので、実用性が
強い。挟持フレーム１の組立てが終わる、ねじりバネ４の跳ね返し力によって輸送フレー
ム２が接続フレーム３に沿って回転することができる。さらに弧形接続フレーム７と洗浄
フレーム８の角度調節を実現することもできる。これによって洗浄フレーム８とカーテン
ウォールガラスを貼合させることで、カーテンウォールガラスの清潔処理の効果を保証で
きる。正逆回転モータ２１を起動して、正逆回転モータ２１によってボールねじ５を回転
させて、ねじナット６とボールねじ５が相互に噛合うことで、ねじナット６がボールねじ
５に沿って水平的に移動し、弧形接続フレーム７がねじナット６に連動して移動し、弧形
接続フレーム７に連動して洗浄フレーム８が水平的に往復移動するようにできる。このよ
うにして、カーテンウォールガラスの清潔処理を実現することが可能となる。この場合、
使用際に、ただ挟持フレーム１をカーテンウォールガラスの枠に挟んで、正逆回転モータ
２１を起動することだけで、カーテンウォールガラスの清潔処理を進めることができる。
使用過程がより簡潔であり、操作がより便利である。この実施形態において、背景の技術
に記載のように、従来のカーテンウォールガラスの清潔装置は使用過程が複雑で、操作が
便利ではないという課題を解決している。
【００２１】
図３と５に示されるカーテンウォールガラスの清潔装置は、さらに前記第１チャンパー１
２の内部に設けられる複数個の柔軟球体１４、前記柔軟球体１４の内部に設けられる第３
チャンパー１５、および前記第３チャンパー１５内部に設けられる複数個の柔軟支持バー
１６を含む。
【００２２】
隣り合う両前記柔軟球体１４の間隔が前記柔軟球体１４の半径より小さくすることで、柔
軟球体１４の第１チャンパー１２内における配布は、さらに均一的になる。第１チャンパ
ー１２に対する支持効果は、さらに良好である。
【００２３】
前記第３チャンパー１５の内径が前記柔軟球体１４の外径の半分より大きくすることで、
柔軟球体１４の弾性変形効果は、さらに良好である。前記柔軟支持バー１６は、垂直的お
よび水平的に前記第３チャンパー１５の内部に設置される。これによって、第３チャンパ
ー１５に対する支持強度がより大きく、柔軟球体１４の安定性がより良好である。
【００２４】
具体的には、本実施形態において、柔軟球体１４、第３チャンパー１５および柔軟支持バ
ー１６を設けていることにより、柔軟球体１４により第１チャンパー１２を柔軟的に支持
することができるので、第３チャンパーに対する柔軟的支持効果を向上するとともに、第
１チャンパー１２に対する弾性的支持効果を向上することもできる。第３チャンパー１５
により柔軟球体１４の弾性変形性を補強するとともに、柔軟支持バー１６により第３チャ
ンパー１５に対する柔軟的支持効果を補強することができる。さらに第１チャンパー１２
に対する弾性支持効果を向上し、カーテンウォールガラスの枠に対する挟持効果がより優
秀である。
【００２５】
本実用新案の動作原理について説明する。
明細書および図１〜４によれば、挟持フレーム１、輸送フレーム２、接続フレーム３、ね
じりバネ４、ボールねじ５、ねじナット６、弧形接続フレーム７、洗浄フレーム８、挟持
パッド９、挟持溝１０、磁気ストライプ１１、第１チャンパー１２、第２チャンパー１３
および正逆回転モータ２１を設けている。これにより、各厚度のカーテンウォールガラス
の枠に対しても挟持処理ができるので、実用性が強く、また、使用際にただ挟持フレーム
１をカーテンウォールガラスの枠に挟んで、正逆回転モータ２１を起動することだけで、
カーテンウォールガラスの清潔処理を進めることができる。使用過程がより簡潔であり、
操作がより便利である。
【００２６】
さらに、明細書および図３と５によれば、柔軟球体１４、第３チャンパー１５および柔軟
支持バー１６を設けている。これにより、柔軟球体１４の弾性変形性を強化できるので、
第３チャンパー１５に対する柔軟的支持効果を向上するとともに、第１チャンパー１２に
対する弾性支持効果を向上することもできる。特にカーテンウォールガラスの枠に対する
挟持効果がより優秀である。
【符号の説明】
【００２７】
１  挟持フレーム
２  輸送フレーム
３  接続フレーム
４  ねじりバネ
５  ボールねじ
６  ねじナット
７  弧形接続フレーム
８  洗浄フレーム
９  挟持パッド
１０  挟持溝
１１  磁気ストライプ
１２  第１チャンパー
１３  第２チャンパー
１４  柔軟球体
１５  第３チャンパー
１６  柔軟支持バー
１７  第１止め溝
１８  第２止め溝
１９  配置室
２０  貫通溝
２１  正逆回転モータ
【図１】
0003233403.tif 000003
【図２】
0003233403.tif 000004
【図３】
0003233403.tif 000005
【図４】
0003233403.tif 000006
【図５】
0003233403.tif 000007